(57)【要約】【課題】ユーザにとって不要な広告の表示を抑止できる広告提示システムを提供する。【解決手段】携帯端末２０を含み、携帯端末２０のユーザに広告を提示する広告提示システムであって、携帯端末２０は、配信される広告情報を受信する通信部２１と、通信部２１が受信した広告情報を表示する広告表示部２４と、ユーザの現在の移動手段を推定する移動手段推定部２２と、移動手段推定部２２が推定した移動手段が特定の移動手段である場合に、広告表示部２４の広告情報の表示を停止させる広告表示判定部２３とを有する。【選択図】図１１
2015005047.tif 000002
【特許請求の範囲】
【請求項１】
携帯端末を含み、前記携帯端末のユーザに広告を提示する広告提示システムであって、
前記携帯端末は、
配信される広告情報を受信する通信部と、
前記通信部が受信した前記広告情報を表示する広告表示部と、
前記ユーザの現在の移動手段を推定する移動手段推定部と、
前記移動手段推定部が推定した前記移動手段が特定の移動手段である場合に、前記広告表示部の前記広告情報の表示を停止させる広告表示判定部とを有する
ことを特徴とする広告提示システム。
【請求項２】
広告表示判定部は、広告情報の表示を停止させるために、通信部に前記広告情報の受信を停止する指示を出力する
請求項１記載の広告提示システム。
【請求項３】
広告提示システムは、サーバを含み、
前記サーバは、
携帯端末から送信されるユーザの移動情報を基に前記ユーザの現在の移動手段を推定するサーバ移動手段推定部と、
前記携帯端末から前記移動情報を受信し、前記携帯端末に広告情報および推定された前記移動手段を示す前記移動手段の情報を送信するサーバ通信部とを有し、
広告表示判定部は、通信部が前記サーバから受信した前記移動手段の情報に基づいて、広告表示部に前記広告情報の表示を停止する指示を出力する
請求項１記載の広告提示システム。
【請求項４】
移動手段推定部は、携帯端末の速度を測定し、測定した前記速度から移動手段を推定する
請求項１から請求項３のうちのいずれか１項に記載の広告提示システム。
【請求項５】
移動手段推定部は、携帯端末の加速度を測定した上で記憶し、過去に測定した加速度の履歴から移動手段を推定する
請求項１から請求項３のうちのいずれか１項に記載の広告提示システム。
【請求項６】
移動手段推定部は、携帯端末の周囲の無線通信基地局を検知し、検知した前記無線通信基地局が特定の基地局であった場合に移動手段を推定する
請求項１から請求項３のうちのいずれか１項に記載の広告提示システム。
【請求項７】
移動手段推定部は、携帯端末に対して近距離無線通信が実行されたことを検知し、検知した前記近距離無線通信が特定の内容の通信であった場合に移動手段を推定する
請求項１から請求項３のうちのいずれか１項に記載の広告提示システム。
【請求項８】
移動手段推定部は、携帯端末の現在の位置を測定した上で記憶し、過去に測定した現在位置の履歴から移動手段を推定する
請求項１から請求項３のうちのいずれか１項に記載の広告提示システム。
【請求項９】
配信される広告情報を受信し、受信した前記広告情報を表示する携帯端末を含み、前記携帯端末のユーザに広告を提示する広告提示システムにおいて実行される広告提示方法であって、
前記携帯端末は、
前記ユーザの現在の移動手段を推定し、
推定された前記移動手段が特定の移動手段である場合に、前記広告情報の表示を停止する
ことを特徴とする広告提示方法。
【発明の詳細な説明】
【技術分野】
【０００１】
本発明は、携帯電話のユーザ向けに地域に結びついた広告を提示する広告提示システムおよび広告提示方法に関する。
【背景技術】
【０００２】
無線通信を介してクライアントとサーバが情報を送受信する通信システムにおいて、携帯電話向けに地域に結びついた広告を配信する広告配信システムがある。この広告配信システムは、携帯端末のユーザが特定の範囲に進入したことを検知して、携帯端末に周辺の店舗の広告を表示させるサービスを提供する。
【０００３】
特許文献１には、携帯端末の移動速度を検出することによって、より効果的な広告効果をもたらす携帯端末への広告表示を実現する広告情報送信装置および広告情報受信装置が記載されている。
【先行技術文献】
【特許文献】
【０００４】
【特許文献１】特開２００４−１１７４４２号公報
【発明の概要】
【発明が解決しようとする課題】
【０００５】
しかし、特許文献１に記載されている装置が提供するような携帯端末への広告表示サービスにおいては、携帯端末のユーザの望まない時でも広告が表示されることがある。
【０００６】
特に、電車などの公共交通機関での移動中においては、周辺の店舗の広告が表示されても携帯端末のユーザにはその店舗へ到達する手段がない。よって、電車などでの移動中に表示された広告は、ユーザにとって不要な広告である。また、広告を配信する業者にとっても、そのような効果を期待できない広告の表示は、効率の悪いサービスとなる。
【０００７】
公共交通機関での移動中でも広告が表示されてしまう理由は、広告の表示条件は「ユーザが特定の範囲にいる」という地理的な条件のもとに設定されているからである。すなわち、ユーザが特定の範囲に進入さえすれば、ユーザがその広告の店舗に到達できる状態かどうかという情報は考慮されずに、広告が表示されてしまうためである。
【０００８】
そこで、本発明は、ユーザにとって不要な広告の表示を抑止できる広告提示システムおよび広告提示方法を提供する。
【課題を解決するための手段】
【０００９】
本発明による広告提示システムは、携帯端末を含み、携帯端末のユーザに広告を提示する広告提示システムであって、携帯端末は、配信される広告情報を受信する通信部と、通信部が受信した広告情報を表示する広告表示部と、ユーザの現在の移動手段を推定する移動手段推定部と、移動手段推定部が推定した移動手段が特定の移動手段である場合に、広告表示部の広告情報の表示を停止させる広告表示判定部とを有することを特徴とする。
【００１０】
本発明による広告提示方法は、配信される広告情報を受信し、受信した広告情報を表示する携帯端末を含み、携帯端末のユーザに広告を提示する広告提示システムにおいて実行される広告提示方法であって、携帯端末は、ユーザの現在の移動手段を推定し、推定された移動手段が特定の移動手段である場合に、広告情報の表示を停止することを特徴とする。
【発明の効果】
【００１１】
本発明によれば、ユーザにとって不要な広告の表示を抑止できる。
【図面の簡単な説明】
【００１２】
【図１】本発明による広告提示システム１００の一実施形態の構成例を示すシステム構成図である。
【図２】携帯端末２００の第１の実施形態の構成例を示すブロック図である。
【図３】広告情報キャッシュ部２０３に保存されている広告情報の一例を示す説明図である。
【図４】移動履歴記憶部２０７に保存されている位置情報の一例を示す説明図である。
【図５】サーバ３００の第１の実施形態の構成例を示すブロック図である。
【図６】広告提示システム１００の第１の実施形態の広告配信処理の動作を示すフローチャートである。
【図７】サーバ３００が携帯端末に配信するデータの例を示す説明図である。
【図８】携帯端末の第１の実施形態の広告表示処理の動作を示すフローチャートである。
【図９】携帯端末の第１の実施形態の広告表示抑制処理の動作を示すフローチャートである。
【図１０】サーバ３００の第２の実施形態の構成例を示すブロック図である。
【図１１】本発明による広告提示システムの概要を示すブロック図である。
【発明を実施するための形態】
【００１３】
実施形態１．
以下、本発明の実施形態を図面を参照して説明する。図１は、本発明による広告提示システム１００の一実施形態の構成例を示すシステム構成図である。図１に示す広告提示システム１００は、携帯端末２００〜２２０と、サーバ３００とを含む。
【００１４】
広告提示システム１００は、サーバ３００からユーザの持つ携帯端末２００〜２２０に広告を配信するサービスシステムである。なお、図１には３台の携帯端末が示されているが、広告提示システム１００に含まれる携帯端末は何台でもよい。
【００１５】
携帯端末２００〜２２０は、通信ネットワーク１１０を介してサーバ３００と通信可能に接続されている。携帯端末２００〜２２０は、任意の場所でサーバ３００と無線通信を行うことができる。
【００１６】
サーバ３００には、広告業者１１１〜１１３によって携帯端末に配信するための広告情報１２１〜１２３が登録される。広告情報１２１〜１２３には、広告を表示させる範囲についての情報が含まれている。携帯端末を持つユーザが該当の範囲に進入した際に、携帯端末に登録されている広告が携帯端末に表示される。
【００１７】
携帯端末２００〜２２０は、サーバ３００に対して位置情報１３０を提供する。サーバ３００は、提供された位置情報１３０に基づき、携帯端末２００〜２２０に対して適当な広告情報の一覧１４０を提供する。このような方法で、広告提示システム１００は、広告提示サービスを実現する。
【００１８】
次に、携帯端末２００の詳細な構成を図２を参照して説明する。図２は、携帯端末２００の第１の実施形態の構成例を示すブロック図である。なお、携帯端末２１０〜２２０の構成例は、携帯端末２００の構成例と同様である。
【００１９】
図２に示す携帯端末２００は、広告表示部２０１と、広告表示判定部２０２と、広告情報キャッシュ部２０３と、携帯端末通信部２０４と、移動手段推定部２０５と、現在地測位部２０６と、移動履歴記憶部２０７とを含む。
【００２０】
広告表示部２０１は、携帯端末２００に広告を表示する機能を有する。広告表示部２０１は、例えば、携帯端末２００で動作するアプリケーションの画面上に広告表示の範囲を設定し、設定した範囲に対象の広告を表示する。
【００２１】
なお、広告表示部２０１がユーザに広告を提示する手段は上記に限らず、メールでの配信や携帯端末ＯＳ（Ｏｐｅｒａｔｉｎｇ  Ｓｙｓｔｅｍ）の通知箇所への表示、音声での読み上げなど様々な手段での提示が考えられる。
【００２２】
広告表示判定部２０２は、表示対象とする広告を判定する機能を有する。広告表示判定部２０２は、現在地測位部２０６から携帯端末２００の現在地の情報を取得する。現在地の情報を取得すると、広告表示判定部２０２は、広告情報キャッシュ部２０３に保存されている全ての広告の広告情報を参照して、各広告が表示対象である広告か否かをそれぞれ判定する。
【００２３】
広告表示判定部２０２による広告の判定は、例えば１０秒に１回など、所定の時間ごとに実行される。表示対象と判定された広告の広告情報は、広告表示部２０１に通知され、ユーザに提示される。
【００２４】
広告情報キャッシュ部２０３は、サーバ３００から配信された広告を一時的に保存する機能を有する。広告情報キャッシュ部２０３に保存されている広告情報の例を図３に示す。
【００２５】
図３は、広告情報キャッシュ部２０３に保存されている広告情報の一例を示す説明図である。広告情報キャッシュ部２０３に保存されている広告情報は、広告ＩＤと、表示内容と、表示範囲とから構成される。また、表示範囲は、中心と、半径とから構成される。
【００２６】
広告ＩＤは、広告を特定するＩＤである。表示内容は、広告表示部２０１に表示される内容である。表示範囲は、広告ＩＤで特定される広告が表示されるための地理的条件である。図３に示す例において、表示範囲は、中心と半径で決定される円の内部領域となる。
【００２７】
広告情報キャッシュ部２０３には、サーバ３００に保存されている広告情報のうち、一部の広告ＩＤに対応する広告情報が保存される。
【００２８】
携帯端末通信部２０４は、サーバ３００との間で無線通信を行い、広告情報を取得する機能を有する。携帯端末通信部２０４は、例えば３分に１回など、所定の時間ごとに現在地測位部２０６から携帯端末２００の現在位置の情報を取得する。携帯端末通信部２０４は、取得した現在位置の情報をサーバ３００に対して送信する。
【００２９】
携帯端末通信部２０４には、サーバ３００から位置情報に応じた広告情報の一覧が送信される。携帯端末通信部２０４は、受信した広告情報の一覧を広告情報キャッシュ部２０３に保存する。
【００３０】
携帯端末通信部２０４は、例えば、現在位置の情報の送信にはＨＴＴＰ（Ｈｙｐｅｒ  Ｔｅｘｔ  Ｔｒａｎｓｆｅｒ  Ｐｒｏｔｏｃｏｌ）リクエストを利用し、広告情報の一覧の受信にはＨＴＴＰレスポンスを利用する。なお、携帯端末通信部２０４は、情報を送受信する際にＨＴＴＰプロトコル以外の他のプロトコルを用いてもよい。
【００３１】
また、現在位置情報の送信と広告情報の一覧の受信は非同期でも問題はないため、携帯端末通信部２０４は、送信と受信に別々のプロトコルを利用してもよい。例えば、携帯端末通信部２０４は、送信をＨＴＴＰリクエストで行い、受信をＳＭＳ（Ｓｈｏｒｔ Ｍｅｓｓａｇｅ Ｓｅｒｖｉｃｅ）で行うこともできる。
【００３２】
移動手段推定部２０５は、携帯端末２００に備えられているセンサ類の情報から、携帯端末２００のユーザの現在の移動手段を推定する機能を有する。移動手段推定部２０５は、例えば５秒に１回など、所定の時間ごとに現在地測位部２０６から現在位置の情報を取得する。移動手段推定部２０５は、取得した現在位置情報を移動履歴記憶部２０７に記録する。
【００３３】
移動手段推定部２０５は、これまでに移動履歴記憶部２０７に記録した情報から携帯端末２００のユーザの現在の移動手段を推定する。推定した移動手段が広告表示の抑制対象であった場合、移動手段推定部２０５は、広告表示判定部２０２に広告表示判定の停止を指示する。
【００３４】
現在地測位部２０６は、携帯端末２００の現在の位置を測定する機能を有する。現在地測位部２０６は、例えば、ＧＰＳ（Ｇｌｏｂａｌ  Ｐｏｓｉｔｉｏｎｉｎｇ  Ｓｙｓｔｅｍ）衛星の信号を受信して現在地を算出することによって測位する。
【００３５】
なお、携帯端末の現在地の測定方法には、携帯電話基地局の信号を用いて測位する方法や、無線ＬＡＮ（Ｌｏｃａｌ  Ａｒｅａ  Ｎｅｔｗｏｒｋ）の基地局固有のＢＳＳＩＤ（Ｂａｓｉｃ  Ｓｅｒｖｉｃｅ  Ｓｅｔ  ＩＤ）から辞書的に現在地を推定する方法などが知られている。すなわち、現在地測位部２０６は、ＧＰＳ衛星の信号を受信して測位する方法の代わりに、上記の方法を用いてもよい。
【００３６】
移動履歴記憶部２０７は、携帯端末２００の過去の位置情報を保存しているストレージである。移動履歴記憶部２０７に保存される位置情報の例を図４に示す。
【００３７】
図４は、移動履歴記憶部２０７に保存されている位置情報の一例を示す説明図である。
図４には、単純に緯度および経度の情報が保存されている例が示されている。
【００３８】
なお、本実施形態において広告表示部２０１、広告表示判定部２０２、移動手段推定部２０５および現在地測位部２０６は、例えば、プログラムに従って動作するＣＰＵ（Ｃｅｎｔｒａｌ  Ｐｒｏｃｅｓｓｉｎｇ  Ｕｎｉｔ）によって実現される。
【００３９】
また、携帯端末通信部２０４は、例えば、プログラムに従って動作するＣＰＵと、無線インタフェースによって実現される。
【００４０】
また、広告情報キャッシュ部２０３は、例えば、ＣＰＵが直接読み書きできるＲＡＭ（Ｒａｎｄｏｍ  Ａｃｃｅｓｓ  Ｍｅｍｏｒｙ）によって実現される。
【００４１】
また、移動履歴記憶部２０７は、例えば、フラッシュメモリ等の記憶媒体によって実現される。
【００４２】
次に、サーバ３００の詳細な構成を図５を参照して説明する。図５は、サーバ３００の第１の実施形態の構成例を示すブロック図である。
【００４３】
図５に示すサーバ３００は、サーバ通信部３０１と、広告配信判定部３０２と、広告情報記憶部３０３とを含む。
【００４４】
サーバ通信部３０１は、携帯端末との間で無線通信を行い、携帯端末に広告情報を配信する機能を有する。サーバ通信部３０１は、携帯端末から位置情報を受信すると、受信した位置情報を広告配信判定部３０２に通知する。
【００４５】
サーバ通信部３０１は、広告配信判定部３０２が出力する、位置情報に対して配信対象となる広告情報の一覧を入力する。サーバ通信部３０１は、入力した配信対象の広告情報の一覧を携帯端末に対して送信する。
【００４６】
広告配信判定部３０２は、携帯端末の現在位置から配信対象の広告を判定する機能を有する。広告配信判定部３０２は、サーバ通信部３０１から通知された位置情報をもとに、広告情報記憶部３０３に格納されている広告情報を検索する。広告配信判定部３０２は、検索した配信対象となる広告情報を一覧表にする。
【００４７】
広告情報記憶部３０３は、全ての広告情報を配信範囲とともに保存しているストレージである。広告情報記憶部３０３に保存される広告情報の例を図３に示す。
【００４８】
広告情報記憶部３０３に保存されている広告情報の項目は、広告情報キャッシュ部２０３に保存されている広告情報の項目と同様である。広告情報記憶部３０３は、広告情報キャッシュ部２０３と異なり、広告業者から登録された全ての広告情報を保持している。
【００４９】
なお、本実施形態において広告配信判定部３０２は、例えば、プログラムに従って動作するＣＰＵによって実現される。
【００５０】
また、サーバ通信部３０１は、例えば、プログラムに従って動作するＣＰＵと、ネットワークカード等の通信制御装置とによって実現される。
【００５１】
また、広告情報記憶部３０３は、例えば、データベースシステムといった記憶装置によって実現される。
【００５２】
以下、本実施形態における携帯端末が現在位置をサーバ３００に送信して、サーバ３００から広告情報を受け取るまでの動作を図６のフローチャートを参照して説明する。図６は、広告提示システム１００の第１の実施形態の広告配信処理の動作を示すフローチャートである。
【００５３】
携帯端末通信部２０４は、定期的に現在地測位部２０６を起動して携帯端末の位置情報を取得する（ステップＳ４０１）。起動した現在地測位部２０６は、例えば、ＧＰＳ衛星の信号を受信し、携帯端末の位置情報を測定する。現在地測位部２０６は、測定した位置情報を携帯端末通信部２０４に出力する。
【００５４】
なお、現在地測位部２０６が携帯端末の位置情報の測定を最近行っていた場合、現在地測位部２０６は、位置情報をキャッシュしている場合がある。この場合には、現在地測位部２０６は、ＧＰＳ信号の受信を行わずにキャッシュしている位置情報を携帯端末通信部２０４に出力してもよい。
【００５５】
携帯端末通信部２０４は、現在地測位部２０６から取得した携帯端末の位置情報をサーバ３００に送信し、応答を待つ（ステップＳ４０２）。
【００５６】
サーバ通信部３０１は、携帯端末からの位置情報を常に受信できる状態にある。サーバ通信部３０１は、携帯端末から位置情報を受信すると、受信した位置情報を広告配信判定部３０２に出力する（ステップＳ４０３）。
【００５７】
広告配信判定部３０２は、入力した携帯端末の位置情報に基づき、広告情報記憶部３０３に格納されている広告情報を検索する。次いで、広告配信判定部３０２は、配信対象となる広告情報の一覧をサーバ通信部３０１に出力する（ステップＳ４０４）。
【００５８】
配信対象の広告を判定する際に、広告配信判定部３０２は、例えば、現在位置と広告の店舗との距離を算出し、距離が２ｋｍ以下である広告を配信対象の広告と判定する。すなわち、広告配信判定部３０２は、サーバ通信部３０１から入力した現在位置の緯度および経度と、図３に示す広告の表示範囲の中心の位置の緯度および経度との間の距離を算出して、距離が２ｋｍ以下の場合にその広告を配信するとする。その結果、サーバ通信部３０１は、配信先の携帯端末を所持するユーザが広告の表示範囲に進入するより先に広告を配信できる。
【００５９】
配信する広告の判定に関して、広告配信判定部３０２は、上記の手段の他にも様々な手段を用いて広告を判定できる。例えば、図３に示す広告情報に対して予め配信範囲の情報を設定しておき、携帯端末の現在位置が各広告の配信範囲内にあるかどうかそれぞれ判定を行い、配信範囲内であればその広告を配信対象の広告にするといった手段が考えられる。
【００６０】
また、地図を１ｋｍ四方の矩形（以下、矩形の内部を方眼という。）に区切り、それぞれの方眼に対して広告の一覧を予め割り当て、現在位置がどの方眼に対応するかの判定をすることで配信対象の広告の広告情報の一覧を取得するという方法もある。
【００６１】
サーバ通信部３０１は、広告配信判定部３０２から入力した広告の一覧を携帯端末に配信する（ステップＳ４０５）。
【００６２】
携帯端末通信部２０４は、サーバ３００から配信されたデータを分析し、配信された広告があるか否かを判定する（ステップＳ４０６）。サーバ３００から配信されるデータの例を図７に示す。
【００６３】
図７は、サーバ３００が携帯端末に配信するデータの例を示す説明図である。図７に示すように、サーバ３００は、例えば、広告をＪＳＯＮ（ＪａｖａＳｃｒｉｐｔ（登録商標）  Ｏｂｊｅｃｔ  Ｎｏｔａｔｉｏｎ）形式で配信するとする。
【００６４】
図７に示す指定領域９０１には、配信される広告情報の件数が指定されている。また、図７に示す指定領域９０２には、広告情報の詳細が指定されている。指定領域９０１に指定されている広告情報の件数から、携帯端末通信部２０４は、広告情報を保存するか否かを判断する。
【００６５】
配信された広告情報の件数が１件以上であった場合（ステップＳ４０６のＹｅｓ）、携帯端末通信部２０４は、広告情報を広告情報キャッシュ部２０３に保存する（ステップＳ４０７）。次いで、携帯端末は、ステップＳ４０１に戻り再度広告配信処理を行う。
【００６６】
配信された広告情報の件数が０件であった場合（ステップＳ４０６のＮｏ）、広告情報キャッシュ部２０３に保存される広告情報は無い。携帯端末は、ステップＳ４０１に戻り再度広告配信処理を行う。
【００６７】
次に、本実施形態における携帯端末の広告表示動作を図８のフローチャートを参照して説明する。図８は、携帯端末の第１の実施形態の広告表示処理の動作を示すフローチャートである。
【００６８】
広告表示判定部２０２は、定期的に現在地測位部２０６を起動して携帯端末の位置情報を取得する（ステップＳ５０１）。なお、現在地測位部２０６は、ステップＳ４０１における処理の時と同様にキャッシュしている位置情報を出力してもよい。
【００６９】
次いで、広告表示判定部２０２は、移動手段推定部２０５から広告の表示判定停止の指示を受けているか否かを確認する（ステップＳ５０２）。表示判定停止の指示を受けている場合（ステップＳ５０２のＹｅｓ）、携帯端末は、広告表示処理を終了する。
【００７０】
表示判定停止の指示を受けていない場合（ステップＳ５０２のＮｏ）、広告表示判定部２０２は、ステップＳ５０３へ処理を進める。
【００７１】
広告表示判定部２０２は、広告情報キャッシュ部２０３に保存されている全ての広告情報を参照し、現在地測位部２０６から取得した位置情報と照らし合わせて表示対象の広告を判定する（ステップＳ５０３）。
【００７２】
すなわち、広告表示判定部２０２は、現在位置を示す緯度および経度と広告情報に含まれる緯度および経度との間の距離を算出し、算出された距離が図３に示す広告情報の表示半径以下であるか否かを判定する。
【００７３】
距離が広告情報の表示半径以下であった場合、広告表示判定部２０２は、その広告が表示対象の広告であると判定する。距離が広告情報の表示半径を超える場合、広告表示判定部２０２は、その広告が表示対象の広告ではないと判定する。
【００７４】
表示対象の広告が存在した場合（ステップＳ５０３のＹｅｓ）、広告表示判定部２０２は、表示対象の広告の内容を広告表示部２０１に出力し、携帯端末に広告を表示させる（ステップＳ５０４）。次いで、携帯端末は、ステップＳ５０１に戻り再度広告表示処理を行う。
【００７５】
表示対象の広告が存在しない場合（ステップＳ５０３のＮｏ）、携帯端末は、ステップＳ５０１に戻り再度広告表示処理を行う。
【００７６】
次に、本実施形態における携帯端末の広告表示抑制動作を図９のフローチャートを参照して説明する。図９は、携帯端末の第１の実施形態の広告表示抑制処理の動作を示すフローチャートである。
【００７７】
移動手段推定部２０５は、定期的に現在地測位部２０６を起動して携帯端末の位置情報を取得する。移動手段推定部２０５は、取得した位置情報を、その位置情報を現在地測位部２０６が測定した測定時刻とともに移動履歴記憶部２０７に保存する（ステップＳ６０１）。
【００７８】
なお、現在地測位部２０６は、ステップＳ４０１における処理の時と同様にキャッシュしている位置情報を出力してもよい。キャッシュしている位置情報の測定時刻が古い場合には、現在地測位部２０６は、再度位置情報を測定してもよい。
【００７９】
移動手段推定部２０５は、移動履歴記憶部２０７から過去の位置情報を取得し、携帯端末のユーザの移動手段を推定する（ステップＳ６０２）。
【００８０】
移動手段推定部２０５は、例えば、過去２回分の位置情報の差分からユーザの移動速度を推定する。移動手段推定部２０５は、単純に前回測定した位置情報の緯度および経度と今回測定した位置情報の緯度および経度との間の距離を算出し、算出した距離を前回測定した位置情報の測定時刻から今回測定した位置情報の測定時刻までの時間で割ることで時速を算出する。移動手段推定部２０５は、例えば、算出した速度が時速８０ｋｍを超えている場合に、移動手段が電車であると推定する。
【００８１】
移動手段推定部２０５は、推定した携帯端末のユーザの現在の移動手段が、表示抑制対象の移動手段であるか否かを判断する（ステップＳ６０３）。ここで、電車を表示抑制対象の移動手段とする。
【００８２】
推定した携帯端末のユーザの現在の移動手段が電車であった場合、すなわち表示抑制対象の移動手段であった場合（ステップＳ６０３のＹｅｓ）、移動手段推定部２０５は、広告表示判定部２０２に表示判定を停止する指示を出す（ステップＳ６０４）。次いで、移動手段推定部２０５は、ステップＳ６０２に戻り再度広告表示抑制処理を行う。
【００８３】
推定した携帯端末のユーザの現在の移動手段が電車でなかった場合、すなわち表示抑制対象の移動手段でなかった場合（ステップＳ６０３のＮｏ）、移動手段推定部２０５は、ステップＳ６０２に戻り再度広告表示抑制処理を行う。
【００８４】
なお、ステップＳ６０３の段階で広告表示判定部２０２に表示判定停止の指示が出力されており、かつ携帯端末のユーザの現在の移動手段が表示抑制対象の移動手段でなかった場合、移動手段推定部２０５は、広告表示判定部２０２に表示判定を再開する指示を出力してもよい。
【００８５】
ステップＳ６０２において移動手段を電車と推定する時の推定手段については、上記のように位置情報および測定時刻から算出した移動速度を用いる手段の他にも、以下のような代替手段が考えられる。また、これらの手段を組み合わせることで移動手段の推定精度を上げることも期待される。
【００８６】
移動手段推定部２０５は、例えば、携帯端末に搭載されているＮＦＣ（Ｎｅａｒ  Ｆｉｅｌｄ  Ｃｏｍｍｕｎｉｃａｔｉｏｎ）やＦｅｌｉＣａ（登録商標）といった近距離無線通信を用いて、携帯端末のユーザが駅の改札を通過した際に移動手段が電車であると推定できる。
【００８７】
具体的には、乗車時に近距離無線対応の改札機に携帯端末が接近すると、携帯端末および改札の処理システムで入場処理が実行される。携帯端末側の処理が実行されたことを検知することによって、移動手段推定部２０５は、移動速度を用いることなく移動手段が電車であると推定できる。反対に、降車時に実行される出場処理を検知することによって、移動手段推定部２０５は、移動手段が電車でなくなったことを推定できる。
【００８８】
また、移動手段推定部２０５は、携帯端末に搭載されている加速度センサを用いて取得した速度や加速のパターンからも、移動手段が電車であることを推定できる。
【００８９】
具体的には、移動手段推定部２０５は、１秒間に数回程度の頻度で加速度センサの情報を更新し、加速度情報を取得する。移動手段推定部２０５は、取得した加速度を積分することによって速度を算出できる。その結果、移動手段推定部２０５は、位置情報を用いずに速度を算出でき、算出した速度から移動手段を電車と推定できる。
【００９０】
さらに、電車の加速パターンには、自動車の加速パターンとは異なり、ギアチェンジによる段階的な加速パターンが存在しない。よって、移動手段推定部２０５は、直近の加速パターンを分析することによっても、移動手段を電車と推定できる。
【００９１】
また、移動手段推定部２０５は、携帯端末に搭載されている無線ＬＡＮやＢｌｕｅｔｏｏｔｈ（登録商標）といった通信局通信手段を用いて携帯端末が電車内に存在することを推定することによっても、移動手段を電車と推定できる。
【００９２】
電車内に通信局が設置されている場合に上記の方法を使用して、移動手段推定部２０５は、携帯端末が電車内に存在することを推定できる。具体的には、電車の車両に無線ＬＡＮアクセスポイントが用意され、用意されたアクセスポイントに特定のＥＳＳＩＤ（Ｅｘｔｅｎｄｅｄ  Ｓｅｒｖｉｃｅ  Ｓｅｔ  ＩＤ）が設定されている場合、その特定のＥＳＳＩＤを検知することによって、移動手段推定部２０５は、ＥＳＳＩＤを検知している間は携帯端末が電車内に存在すると推定できる。
【００９３】
移動手段推定部２０５は、Ｂｌｕｅｔｏｏｔｈビーコンなどを用いても同様に推定できる。携帯端末が電車内に存在すると推定することによって、移動手段推定部２０５は、移動手段を電車と推定できる。
【００９４】
また、移動手段推定部２０５は、携帯端末の位置情報の推移を電車の運行情報と照らし合わせて、携帯端末のユーザがいずれかの電車に乗っていることを推定することによっても、移動手段を電車と推定できる。
【００９５】
具体的には、移動手段推定部２０５は、携帯端末の位置情報の直近の推移と携帯端末の付近を走行している電車の位置情報の推移とを比較し、携帯端末の位置情報の推移と同じ位置情報の推移をしている車両が存在する場合に携帯端末が電車内に存在すると判定する。携帯端末が電車内に存在すると推定することによって、移動手段推定部２０５は、移動手段を電車と推定できる。
【００９６】
移動手段推定部２０５は、電車以外の公共交通機関も表示抑制対象の移動手段に含めてよい。例えば、携帯端末のユーザがバスやケーブルカー、タクシーに乗車している場合についても、移動手段推定部２０５は、広告表示を抑制できる。その結果、電車の場合と同様の効果が期待される。
【００９７】
本実施形態の広告提示システムを使用した場合、ユーザの端末にユーザが行けない場所の広告が表示されるという余計な情報の表示を抑止できる。その理由は、電車などの公共交通機関での移動中という、周囲の店舗の広告が表示されても到達が不可能なユーザの状態を広告提示システムが検知して、携帯端末への広告の表示を抑制するためである。
【００９８】
本実施形態の広告提示システムを使用した場合、広告表示にかかる消費電力を低減できる。その理由は、公共交通機関での移動中に広告表示の判定が停止され、無駄な処理が排除されるためである。
【００９９】
実施形態２．
次に、本発明の第２の実施形態を説明する。なお、本発明の第２の実施形態における広告提示システム１００の構成例は、第１の実施形態における説明と同様であるため説明を省略する。
【０１００】
第１の実施形態では携帯端末のユーザが電車に乗っていると判定された場合に、広告提示システム１００は、広告表示を抑制するために広告表示の判定処理を停止していたが、本実施形態では通信処理を停止する。
【０１０１】
本実施形態では、移動手段推定部２０５が、図９に示すフローチャートのステップＳ６０４で、広告表示判定部２０２に表示判定を停止する指示を出すのではなく、携帯端末通信部２０４に通信処理を停止する指示を出す。
【０１０２】
通信処理を停止する指示が出された場合、サーバ３００からの広告の配信処理も止まるため、携帯端末のユーザが電車から降車した際に携帯端末に広告が表示されるまで余計に時間がかかる。しかし、通信処理が停止されるため、通信のための電力や通信量、サーバ３００の処理量を削減できる。
【０１０３】
本実施形態の広告提示システムを使用した場合、ユーザが不快に感じるタイミングでの広告の配信が行われなくなる。その理由は、電車などの公共交通機関での移動中という、周囲の店舗の広告が配信されても到達が不可能なユーザの状態を広告提示システムが検知して、携帯端末への広告の配信を抑制するためである。
【０１０４】
本実施形態の広告提示システムを使用した場合、広告配信にかかる消費電力を低減できる。その理由は、公共交通機関での移動中に広告配信の通信が停止され、無駄な通信が排除されるためである。
【０１０５】
実施形態３．
次に、本発明の第３の実施形態を説明する。本実施形態では、広告提示システム１００は、携帯端末のユーザの移動手段を端末内部ではなくサーバ３００側で推定する。
【０１０６】
図１０は、サーバ３００の第２の実施形態の構成例を示すブロック図である。図１０に示すサーバ３００は、サーバ通信部３０１と、広告配信判定部３０２と、広告情報記憶部３０３と、サーバ移動手段推定部３０４を含む。
【０１０７】
広告配信判定部３０２および広告情報記憶部３０３についての説明は、第１の実施形態における説明と同様であるため省略する。
【０１０８】
サーバ移動手段推定部３０４は、移動手段推定部２０５と同様に、携帯端末から送信された情報を基に移動手段を推定する機能を有する。サーバ移動手段推定部３０４は、例えば、プログラムに従って動作するＣＰＵによって実現される。
【０１０９】
サーバ移動手段推定部３０４が推定した移動手段の情報は、サーバ通信部３０１によって携帯端末に送信される。
【０１１０】
また、本実施形態において、携帯端末通信部２０４は、移動手段の推定に用いられる位置情報、加速度センサ、無線基地局などの各種の情報をサーバ３００に送信する機能を有する。なお、携帯端末は、移動手段の推定に用いられる情報を送信する送信部を備えていてもよい。
【０１１１】
本実施形態の広告提示システムを使用した場合、携帯端末に比べて記憶容量が大きく処理性能も高いサーバ側で移動手段を推定するため、リアルタイムな運行情報を用いた移動手段の推定などの複雑な推定を行うことが可能となる。サーバ側で移動手段が電車であると推定された場合、広告提示システムは、携帯端末に広告を配信しない方法によっても広告の表示を抑制できる。
【０１１２】
次に、本発明の概要を説明する。図１１は、本発明による広告提示システムの概要を示すブロック図である。本発明による広告提示システム１０は、携帯端末２０（例えば、携帯端末２００）を含み、携帯端末２０のユーザに広告を提示する広告提示システムであって、携帯端末２０は、配信される広告情報を受信する通信部２１（例えば、携帯端末通信部２０４）と、通信部２１が受信した広告情報を表示する広告表示部２４（例えば、広告表示部２０１）と、ユーザの現在の移動手段を推定する移動手段推定部２２（例えば、移動手段推定部２０５）と、移動手段推定部２２が推定した移動手段が特定の移動手段である場合に、広告表示部２４の広告情報の表示を停止させる広告表示判定部２３（例えば、広告表示判定部２０２）とを有することを特徴とする。
【０１１３】
そのような構成により、この広告提示システムは、ユーザの移動手段に基づいて、ユーザにとって不要な広告の表示を抑止できる。
【０１１４】
また、広告表示判定部２３は、広告情報の表示を停止させるために、通信部２１に広告情報の受信を停止する指示を出力してもよい。
【０１１５】
そのような構成により、この広告提示システムは、ユーザの移動手段に基づいて、ユーザにとって不要な広告の配信を抑止できる。
【０１１６】
また、広告提示システム１０は、サーバ（例えば、サーバ３００）を含み、サーバは、携帯端末２０から送信されるユーザの移動情報を基にユーザの現在の移動手段を推定するサーバ移動手段推定部（例えば、サーバ移動手段推定部３０４）と、携帯端末２０から移動情報を受信し、携帯端末２０に広告情報および推定された移動手段を示す移動手段の情報を送信するサーバ通信部（例えば、サーバ通信部３０１）とを有し、広告表示判定部２３は、通信部２１がサーバから受信した移動手段の情報に基づいて、広告表示部２４に広告情報の表示を停止する指示を出力してもよい。
【０１１７】
そのような構成により、この広告提示システムは、より複雑な方法でユーザの移動手段を推定できる。
【０１１８】
また、移動手段推定部２２は、携帯端末２０の速度を測定し、測定した速度から移動手段を推定してもよい。
【０１１９】
そのような構成により、この広告提示システムは、携帯端末の位置情報を継続的に記録し、記録した位置情報から速度を算出することによってユーザの移動手段を推定できる。
【０１２０】
また、移動手段推定部２２は、携帯端末２０の加速度を測定した上で記憶し、過去に測定した加速度の履歴から移動手段を推定してもよい。
【０１２１】
そのような構成により、この広告提示システムは、測定した加速度からユーザの速度を算出、または加速のパターンを分析することによってユーザの移動手段を推定できる。
【０１２２】
また、移動手段推定部２２は、携帯端末２０の周囲の無線通信基地局を検知し、検知した無線通信基地局が特定の基地局であった場合に移動手段を推定してもよい。
【０１２３】
そのような構成により、この広告提示システムは、無線通信基地局に設定されている固有のＩＤを検知することによってユーザの移動手段を推定できる。
【０１２４】
また、移動手段推定部２２は、携帯端末２０に対して近距離無線通信が実行されたことを検知し、検知した近距離無線通信が特定の内容の通信であった場合に移動手段を推定してもよい。
【０１２５】
そのような構成により、この広告提示システムは、近距離無線対応の改札機に携帯端末が接近したときにユーザの移動手段を推定できる。
【０１２６】
また、移動手段推定部２２は、携帯端末２０の現在の位置を測定した上で記憶し、過去に測定した現在位置の履歴から移動手段を推定してもよい。
【０１２７】
そのような構成により、この広告提示システムは、携帯端末の位置情報の推移を電車の運行情報と照らし合わせることでユーザの移動手段を推定できる。
【０１２８】
また、広告提示システム１０は、ユーザの現在の位置情報に応じてユーザに情報を提示してもよい。
【０１２９】
また、携帯端末２０は、携帯端末２０自身の現在の位置情報をサーバに送信し、サーバは受信した位置情報に応じて携帯端末２０に情報を配信してもよい。
【符号の説明】
【０１３０】
１０、１００  広告提示システム
２１  通信部
１１０  通信ネットワーク
１１１〜１１３  広告業者
１２１〜１２３  広告情報
１３０  位置情報
１４０  広告情報の一覧
２０、２００〜２２０  携帯端末
２４、２０１  広告表示部
２３、２０２  広告表示判定部
２０３  広告情報キャッシュ部
２０４  携帯端末通信部
２２、２０５  移動手段推定部
２０６  現在地測位部
２０７  移動履歴記憶部
３００  サーバ
３０１  サーバ通信部
３０２  広告配信判定部
３０３  広告情報記憶部
３０４  サーバ移動手段推定部
９０１、９０２  指定領域
【図１】
2015005047.tif 000003
【図２】
2015005047.tif 000004
【図３】
2015005047.tif 000005
【図４】
2015005047.tif 000006
【図５】
2015005047.tif 000007
【図６】
2015005047.tif 000008
【図７】
2015005047.tif 000009
【図８】
2015005047.tif 000010
【図９】
2015005047.tif 000011
【図１０】
2015005047.tif 000012
【図１１】
2015005047.tif 000013